【手続補正書】
【提出日】平成17年12月16日(2005.12.16)
【手続補正１】
【補正対象書類名】特許請求の範囲
【補正対象項目名】全文
【補正方法】変更
【補正の内容】
【特許請求の範囲】
【請求項１】
記憶媒体を有し、挿脱方向の長さが異なる複数種類のカートリッジと、当該複数種類のカートリッジが挿脱可能に挿入されるホルダ部と、を備える記憶装置であって、
前記ホルダ部は、
前記複数種類のカートリッジの挿入口から前記複数種類のカートリッジの挿入方向に第１の距離をおいて配設され、前記複数種類のカートリッジを解除可能に係止する係止部と、
前記複数種類のカートリッジの挿脱方向に移動可能に設けられ、前記複数種類のカートリッジの挿入方向先端位置を定める位置決め部材とを備え、
前記複数種類のカートリッジのそれぞれのカートリッジは、
当該カートリッジの挿入方向後端から当該カートリッジの挿入方向に第２の距離をおいて配設され、前記係止部と係合する係合部を備えることを特徴とする記憶装置。
【請求項２】
前記第１の距離と前記第２の距離とは、略同じ距離であることを特徴とする請求項１に記載の記憶装置。
【請求項３】
前記位置決め部材を、前記複数種類のカートリッジの挿入口方向へ常時付勢する弾性部材を更に設けたことを特徴とする請求項１又は２に記載の記憶装置。
【請求項４】
記憶媒体を有し、挿脱方向の長さが異なる複数種類のカートリッジと、当該複数種類のカートリッジが挿脱可能に挿入されるホルダ部と、を備える記憶装置であって、
前記ホルダ部は、
前記複数種類のカートリッジの挿入方向先端位置を定める位置決め部材と、
前記位置決め部材から前記複数種類のカートリッジの排出方向に第１の距離をおいて配設され、前記複数種類のカートリッジを解除可能に係止する係止部とを備え、
前記複数種類のカートリッジのそれぞれのカートリッジは、
当該カートリッジの挿入方向先端から当該カートリッジの排出方向に第２の距離をおいて配設され、前記係止部と係合する係合部を備えることを特徴とする記憶装置。
【請求項５】
前記複数種類のカートリッジは、当該複数種類のカートリッジの挿入方向先端部に第１の電気接続部を備え、
前記ホルダ部は、
前記位置決め部材に設けられ、前記第１の電気接続部と接続される第２の電気接続部を有することを特徴とする請求項１乃至４のいずれかに記載の記憶装置。
【請求項６】
前記複数種類のカートリッジは、前記挿脱方向に沿う案内溝を有し、
前記ホルダ部は、前記案内溝に係合する案内片を有することを特徴とする請求項１乃至５のいずれかに記載の記憶装置。
【請求項７】
前記係合部は、前記案内溝と直交する溝であることを特徴とする請求項６に記載の記憶装置。
【請求項８】
前記記憶装置は、コンピュータの外部記憶装置であることを特徴とする請求項１乃至７のいずれかに記載の記憶装置。
【請求項９】
前記記憶装置は、コンピュータに内蔵された記憶装置であることを特徴とする請求項１乃至７のいずれかに記載の記憶装置。
【請求項１０】
コンピュータ外部の記憶装置又はコンピュータに内蔵された記憶装置のホルダ部に挿脱可能に挿入され、記憶媒体を有するカートリッジであって、
前記コンピュータ外部の記憶装置又は前記コンピュータに内蔵された記憶装置のホルダに電気的に接続される接続部と、
前記カートリッジを解除可能に係止する、前記ホルダ部に設けられた係止部と係合する係合部であって、前記カートリッジの端部から挿入方向もしくは排出方向に予め設定された距離をおいて設けられた係合部を備え、
前記予め設定された距離は、
前記ホルダ部に挿脱可能に挿入される、前記カートリッジと挿脱方向の長さが異なる他のカートリッジと同じ距離であることを特徴とするカートリッジ。
【請求項１１】
コンピュータ外部の記憶装置又はコンピュータに内蔵された記憶装置のホルダ部に挿脱可能に挿入され、当該コンピュータ外部の記憶装置又は当該コンピュータに内蔵された記憶装置のホルダに電気的に接続される接続部と、記憶媒体と、を有するカートリッジであって、挿脱方向の長さが異なる複数種類のカートリッジを製造するカートリッジの製造方法であって、
前記カートリッジを解除可能に係止する、前記ホルダ部に設けられた係止部と係合する係合部を、前記カートリッジの端部から前記カートリッジの挿入方向もしくは排出方向に予め設定された距離をおいて設けると共に、当該予め設定された距離は、各種類の前記カートリッジにおいて、同じ距離であることを特徴とするカートリッジの製造方法。
【請求項１２】
前記複数種類のカートリッジが、第１のカートリッジと、前記第１のカートリッジよりも挿脱方向の長さが長く、かつ、前記係合部として第１及び第２の係合部を有する第２のカートリッジと、を含み、
前記第１のカートリッジについては、当該第１のカートリッジの一方の端部からは第１の距離を、また、他方の端部からは第２の距離をおいて前記係合部を設け、
前記第２のカートリッジについては、当該第２のカートリッジの一方の端部からは前記第１の距離をおいて前記第１の係合部を設けると共に、他方の端部からは前記第２の距離をおいて前記第２の係合部を設けることを特徴とする請求項１１に記載のカートリッジの製造方法。
【請求項１３】
前記カートリッジが前記コンピュータ外部の記憶装置又はコンピュータに内蔵された記憶装置のホルダに、安定して挿脱可能に挿入されるように、前記挿脱方向に沿う案内溝を有することを特徴とする請求項１０に記載のカートリッジ。
【請求項１４】
第一の記憶装置の第一のホルダ部と、第二の記憶装置の第二のホルダ部とに挿入され、互いに挿脱方向の長さが異なる第一のカートリッジと第二のカートリッジとを有する複数のカートリッジであって、
前記第一のカートリッジは、
該カートリッジが前記第一ホルダ部に挿入される際には第一の記憶装置に電気的に接続され、前記第二のホルダ部に挿入される際には前記第二の記憶装置に電気的に接続される、挿入方向先端に配置された第一の接続部と、
該第一のカートリッジを係止するために、前記第二のホルダ部の内部に配置された係止部により係止される第一の係合部と、
該第一のカートリッジを係止するために、前記第一のホルダ部の内部に配置された係止部により係止される第二の係合部とを有し、
前記第二のカートリッジは、
該カートリッジが前記第一ホルダ部に挿入される際には第一の記憶装置に電気的に接続され、前記第二のホルダ部に挿入される際には前記第二の記憶装置に電気的に接続される、挿入方向先端に配置された第二の接続部と、
該第二のカートリッジを係止するために、前記第二のホルダ部の内部に配置された係止部により係止され、前記第一のホルダ部の内部に配置された係止部により係止される第三の係合部とを有し、
前記第一の係合部は、挿入方向先端から排出方向に第一の距離をおいて配置され、
前記第二の係合部は、挿入方向後端から挿入方向に第二の距離をおいて配置され、
前記第三の係合部は、挿入方向先端から排出方向に第一の距離をおいて配置され、かつ挿入方向端から挿入方向に第二の距離をおいて配置されていることを特徴とする複数のカートリッジ。
【請求項１５】
第一の記憶装置の第一のホルダ部と、第二の記憶装置の第二のホルダ部とに挿入され、互いに挿脱方向の長さが異なる第一のカートリッジと第二のカートリッジとを有する複数のカートリッジであって、
前記第一のカートリッジは、
該カートリッジが前記第一ホルダ部に挿入される際には第一の記憶装置に電気的に接続され、前記第二のホルダ部に挿入される際には前記第二の記憶装置に電気的に接続される、挿入方向先端に配置された第一の接続部と、
該第一のカートリッジを係止するために、前記第二のホルダ部の内部に配置された係止部により係止される第一の係合部と、
該第一のカートリッジを係止するために、前記第一のホルダ部の内部に配置された係止部により係止される第二の係合部とを有し、
前記第二のカートリッジは、
該カートリッジが前記第一ホルダ部に挿入される際には第一の記憶装置に電気的に接続され、前記第二のホルダ部に挿入される際には前記第二の記憶装置に電気的に接続される、挿入方向先端に配置された第二の接続部と、
該第二のカートリッジを係止するために、前記第二のホルダ部の内部に配置された係止部により係止され、前記第一のホルダ部の内部に配置された係止部により係止される第三の係合部とを有し、
前記第一の係合部は、挿入方向先端から排出方向に第一の距離をおいて配置され、
前記第二の係合部は、前記第一のカートリッジが前記第一のホルダ部に挿入された際に、前記第一のカートリッジの挿入方向後端が前記第一のホルダ部から外部に晒されないように配置され、
前記第三の係合部は、挿入方向先端から排出方向に第一の距離をおいて配置され、かつ前記第二のカートリッジが前記第一のホルダ部に挿入された際に、前記第二のカートリッジの挿入方向後端が前記第一のホルダ部から外部に晒されないように配置されていることを特徴とする複数のカートリッジ。
【請求項１６】
挿入方向後端から挿入方向に予め設定された距離をおいて係合部が配置された複数種類のカートリッジが挿脱可能に挿入されるホルダ部を備える記憶装置であって、
前記ホルダ部は、
前記複数種類のカートリッジの挿入口から前記複数種類のカートリッジの挿入方向に予め設定された距離をおいて配置され、前記複数種類のカートリッジを解除可能に係止する係止部と、
前記複数種類のカートリッジの挿脱方向に移動可能に設けられ、前記複数種類のカートリッジの挿入方向先端位置を定める位置決め部材とを備えることを特徴とする記憶装置。
【請求項１７】
前記ホルダ部は、前記位置決め部材に配置され、前記カートリッジに電気的に接続される接続部を有することを特徴とする請求項１６に記載の記憶装置。
【請求項１８】
更に、前記カートリッジの挿入口に向かって、前記位置決め部材を付勢する弾性部を有することを特徴とする請求項１６に記載の記憶装置。
【請求項１９】
更に、前記カートリッジが前記ホルダ部から排出される際に、前記カートリッジが前記ホルダ部から飛び出すことを防止する防止部を有することを特徴とする請求項１６に記載の記憶装置。
【請求項２０】
挿入方向後端から挿入方向に予め設定された距離をおいて係合部が配置された複数種類のカートリッジが挿脱可能に挿入されるホルダ部を備える記憶装置であって、
前記ホルダ部は、
前記複数種類のカートリッジの挿脱方向に移動可能に設けられ、前記複数種類のカートリッジの挿入方向先端位置を定める位置決め部材と、
前記位置決め部材から前記複数種類のカートリッジの排出方向に予め設定された距離をおいて配置され、前記複数種類のカートリッジを解除可能に係止する係止部とを備えることを特徴とする記憶装置。
【手続補正２】
【補正対象書類名】明細書
【補正対象項目名】０００８
【補正方法】変更
【補正の内容】
【０００８】
本発明によれば、記憶媒体を有し、挿脱方向の長さが異なる複数種類のカートリッジと、当該複数種類のカートリッジが挿脱可能に挿入されるホルダ部と、を備える記憶装置であって、前記ホルダ部は、前記複数種類のカートリッジの挿入口から前記複数種類のカートリッジの挿入方向に第１の距離をおいて配設され、前記複数種類のカートリッジを解除可能に係止する係止部と、前記複数種類のカートリッジの挿脱方向に移動可能に設けられ、前記複数種類のカートリッジの挿入方向先端位置を定める位置決め部材とを備え、前記複数種類のカートリッジのそれぞれのカートリッジは、当該カートリッジの挿入方向後端から当該カートリッジの挿入方向に第２の距離をおいて配設され、前記係止部と係合する係合部を備えることを特徴とする記憶装置が提供される。
【手続補正３】
【補正対象書類名】明細書
【補正対象項目名】０００９
【補正方法】変更
【補正の内容】
【０００９】
また、本発明によれば、記憶媒体を有し、挿脱方向の長さが異なる複数種類のカートリッジと、当該複数種類のカートリッジが挿脱可能に挿入されるホルダ部と、を備える記憶装置であって、前記ホルダ部は、前記複数種類のカートリッジの挿入方向先端位置を定める位置決め部材と、前記位置決め部材から前記複数種類のカートリッジの排出方向に第１の距離をおいて配設され、前記複数種類のカートリッジを解除可能に係止する係止部とを備え、前記複数種類のカートリッジのそれぞれのカートリッジは、当該カートリッジの挿入方向先端から当該カートリッジの排出方向に第２の距離をおいて配設され、前記係止部と係合する係合部を備えることを特徴とする記憶装置が提供される。
【手続補正４】
【補正対象書類名】明細書
【補正対象項目名】００１０
【補正方法】変更
【補正の内容】
【００１０】
また、本発明によれば、コンピュータ外部の記憶装置又はコンピュータに内蔵された記憶装置のホルダ部に挿脱可能に挿入され、記憶媒体を有するカートリッジであって、前記コンピュータ外部の記憶装置又は前記コンピュータに内蔵された記憶装置のホルダに電気的に接続される接続部と、前記カートリッジを解除可能に係止する、前記ホルダ部に設けられた係止部と係合する係合部であって、前記カートリッジの端部から挿入方向もしくは排出方向に予め設定された距離をおいて設けられた係合部を備え、前記予め設定された距離は、前記ホルダ部に挿脱可能に挿入される、前記カートリッジと挿脱方向の長さが異なる他のカートリッジと同じ距離であることを特徴とするカートリッジが提供される。
【手続補正５】
【補正対象書類名】明細書
【補正対象項目名】００１１
【補正方法】変更
【補正の内容】
【００１１】
また、本発明によれば、コンピュータ外部の記憶装置又はコンピュータに内蔵された記憶装置のホルダ部に挿脱可能に挿入され、当該コンピュータ外部の記憶装置又は当該コンピュータに内蔵された記憶装置のホルダに電気的に接続される接続部と、記憶媒体と、を有するカートリッジであって、挿脱方向の長さが異なる複数種類のカートリッジを製造するカートリッジの製造方法であって、前記カートリッジを解除可能に係止する、前記ホルダ部に設けられた係止部と係合する係合部を、前記カートリッジの端部から前記カートリッジの挿入方向もしくは排出方向に予め設定された距離をおいて設けると共に、当該予め設定された距離は、各種類の前記カートリッジにおいて、同じ距離であることを特徴とするカートリッジの製造方法が提供される。
また、本発明によれば、第一の記憶装置の第一のホルダ部と、第二の記憶装置の第二のホルダ部とに挿入され、互いに挿脱方向の長さが異なる第一のカートリッジと第二のカートリッジとを有する複数のカートリッジであって、前記第一のカートリッジは、該カートリッジが前記第一ホルダ部に挿入される際には第一の記憶装置に電気的に接続され、前記第二のホルダ部に挿入される際には前記第二の記憶装置に電気的に接続される、挿入方向先端に配置された第一の接続部と、該第一のカートリッジを係止するために、前記第二のホルダ部の内部に配置された係止部により係止される第一の係合部と、該第一のカートリッジを係止するために、前記第一のホルダ部の内部に配置された係止部により係止される第二の係合部とを有し、前記第二のカートリッジは、該カートリッジが前記第一ホルダ部に挿入される際には第一の記憶装置に電気的に接続され、前記第二のホルダ部に挿入される際には前記第二の記憶装置に電気的に接続される、挿入方向先端に配置された第二の接続部と、該第二のカートリッジを係止するために、前記第二のホルダ部の内部に配置された係止部により係止され、前記第一のホルダ部の内部に配置された係止部により係止される第三の係合部とを有し、前記第一の係合部は、挿入方向先端から排出方向に第一の距離をおいて配置され、前記第二の係合部は、挿入方向後端から挿入方向に第二の距離をおいて配置され、前記第三の係合部は、挿入方向先端から排出方向に第一の距離をおいて配置され、かつ挿入方向端から挿入方向に第二の距離をおいて配置されていることを特徴とする複数のカートリッジが提供される。
また、本発明によれば、第一の記憶装置の第一のホルダ部と、第二の記憶装置の第二のホルダ部とに挿入され、互いに挿脱方向の長さが異なる第一のカートリッジと第二のカートリッジとを有する複数のカートリッジであって、前記第一のカートリッジは、該カートリッジが前記第一ホルダ部に挿入される際には第一の記憶装置に電気的に接続され、前記第二のホルダ部に挿入される際には前記第二の記憶装置に電気的に接続される、挿入方向先端に配置された第一の接続部と、該第一のカートリッジを係止するために、前記第二のホルダ部の内部に配置された係止部により係止される第一の係合部と、該第一のカートリッジを係止するために、前記第一のホルダ部の内部に配置された係止部により係止される第二の係合部とを有し、前記第二のカートリッジは、該カートリッジが前記第一ホルダ部に挿入される際には第一の記憶装置に電気的に接続され、前記第二のホルダ部に挿入される際には前記第二の記憶装置に電気的に接続される、挿入方向先端に配置された第二の接続部と、該第二のカートリッジを係止するために、前記第二のホルダ部の内部に配置された係止部により係止され、前記第一のホルダ部の内部に配置された係止部により係止される第三の係合部とを有し、前記第一の係合部は、挿入方向先端から排出方向に第一の距離をおいて配置され、前記第二の係合部は、前記第一のカートリッジが前記第一のホルダ部に挿入された際に、前記第一のカートリッジの挿入方向後端が前記第一のホルダ部から外部に晒されないように配置され、前記第三の係合部は、挿入方向先端から排出方向に第一の距離をおいて配置され、かつ前記第二のカートリッジが前記第一のホルダ部に挿入された際に、前記第二のカートリッジの挿入方向後端が前記第一のホルダ部から外部に晒されないように配置されていることを特徴とする複数のカートリッジが提供される。
また、本発明によれば、挿入方向後端から挿入方向に予め設定された距離をおいて係合部が配置された複数種類のカートリッジが挿脱可能に挿入されるホルダ部を備える記憶装置であって、前記ホルダ部は、前記複数種類のカートリッジの挿入口から前記複数種類のカートリッジの挿入方向に予め設定された距離をおいて配置され、前記複数種類のカートリッジを解除可能に係止する係止部と、前記複数種類のカートリッジの挿脱方向に移動可能に設けられ、前記複数種類のカートリッジの挿入方向先端位置を定める位置決め部材とを備えることを特徴とする記憶装置が提供される。
また、本発明によれば、挿入方向後端から挿入方向に予め設定された距離をおいて係合部が配置された複数種類のカートリッジが挿脱可能に挿入されるホルダ部を備える記憶装置であって、前記ホルダ部は、前記複数種類のカートリッジの挿脱方向に移動可能に設けられ、前記複数種類のカートリッジの挿入方向先端位置を定める位置決め部材と、前記位置決め部材から前記複数種類のカートリッジの排出方向に予め設定された距離をおいて配置され、前記複数種類のカートリッジを解除可能に係止する係止部とを備えることを特徴とする記憶装置が提供される。